(57)【要約】【課題】  好適に上記放電に関する情報を検出して、良好に画像表示装置を保護するための技術を提供する。【解決手段】  本発明は、電子を放出する複数の電子放出素子(111〜116)と、この電子放出素子から放出された電子を、電子放出素子と対向して配置された蛍光体に向けて加速するための高圧を生成する高電圧供給源(120)と、この高電圧供給回路からの高圧電流に関する情報を検出する検出部(130)と、この検出部によって検出された前記情報に基づき高圧電流を制御する制御部(180)とを備える。上記検出部は、前記高圧電流が流れるラインと電気的に非接続の要素を介して、前記情報を検出するように構成される。【選択図】図１
2007127679.tif 000002
【特許請求の範囲】
【請求項１】
画像表示装置において、
電子を放出する複数の電子放出素子と、
前記電子放出素子から放出された電子を、前記電子放出素子と対向して配置された蛍光体に向けて加速するための高圧を生成する高電圧供給回路と、
前記高電圧供給回路からの高圧電流に関する情報を検出する検出部と、
前記検出部によって検出された前記情報に基づき前記画像表示装置の駆動状態を制御する制御部と、を備え、
前記検出部は、前記高圧電流が流れるラインと電気的に非接続の要素を介して、前記情報を検出するように構成されることを特徴とする画像表示装置。
【請求項２】
請求項1に記載の画像表示装置において、前記高圧電流が流れるラインと電気的に非接続の要素は、前記高圧電流が流れるラインに取り付けられるフェライトコアと、該フェライトコアに巻線されたコイルとを含むことを特徴とする画像表示装置。
【請求項３】
画像表示装置において、
カソード基板に配置された、電子を放出するための複数の電子放出素子と、
前記電子放出素子に走査電圧を印加するための走査ドライバと、
前記電子放出素子に、入力映像信号に応じた駆動電圧を印加するための信号ドライバと、
前記走査電圧及び前記駆動電圧によって電子放出素子から放出された電子を、前記カソード基板と対向して配置されたアノード基板側に導くための高圧を生成する高電圧供給回路と、
前記高電圧供給回路からの高圧電流の時間的な変化に関する情報を検出する検出部と、
前記検出部によって検出された前記情報に基づき前記画像表示装置の駆動状態を制御する制御部と、を備え、
前記検出部は、前記高圧電流が流れるラインと電気的に分離された要素を介して、前記情報を検出するように構成されることを特徴とする画像表示装置。
【請求項４】
請求項３に記載の画像表示装置において、前記制御部は、前記高電圧供給回路を制御することにより、前記画像表示装置の駆動状態を制御することを特徴とする画像表示装置。
【請求項５】
請求項４に記載の画像表示装置において、前記制御部は、前記検出部によって検出された前記高圧電流の時間的変化に関する情報が閾値以上の場合に、前記高電圧供給回路からの高圧のレベルを通常駆動時よりも下げる、もしくは前記高電圧供給回路による高圧の発生動作を停止させることを特徴とする画像表示装置。
【請求項６】
請求項３に記載の画像表示装置において、前記制御部は、前記走査ドライバを制御することにより、前記画像表示装置の駆動状態を制御することを特徴とする画像表示装置。
【請求項７】
請求項６に記載の画像表示装置において、前記制御部は、前記検出部によって検出された前記高圧電流の時間的変化に関する情報が閾値以上の場合に、前記走査ドライバからの前記走査電圧のレベルを通常駆動時よりも下げる、もしくは前記走査ドライバによる前記走査電圧の発生動作を停止させることを特徴とする画像表示装置。
【請求項８】
請求項３に記載の画像表示装置において、前記制御部は、前記信号ドライバを制御することにより、前記画像表示装置の駆動状態を制御することを特徴とする画像表示装置。
【請求項９】
請求項８に記載の画像表示装置において、前記制御部は、前記検出部によって検出された前記高圧電流の時間的変化に関する情報が閾値以上の場合に、前記信号ドライバからの前記駆動電圧のレベルを通常駆動時よりも下げる、もしくは前記信号ドライバによる前記駆動電圧の発生動作を停止させることを特徴とする画像表示装置。
【請求項１０】
請求項３に記載の画像表示装置において、前記制御部は、前記映像信号の振幅を制御することにより、前記画像表示装置の駆動状態を制御することを特徴とする画像表示装置。
【請求項１１】
請求項１０に記載の画像表示装置において、前記制御部は、前記検出部によって検出された前記高圧電流の時間的変化に関する情報が閾値以上の場合に、前記映像信号の振幅を通常駆動時よりも下げる、もしくは前記映像信号の振幅を０レベルとすることを特徴とする画像表示装置。
【請求項１２】
請求項３に記載の画像表示装置において、前記制御部は、前記検出部によって検出された前記高圧電流の時間的変化に関する情報が閾値以上の場合は、前記アノード基板と前期カソード基板との間の空間内で放電が発生していると判定し、前駆高圧電流を低下させるように前記高圧、前記走査電圧、前記駆動電圧または前記映像信号を制御して、前記放電を停止させることを特徴とする画像表示装置。
【請求項１３】
請求項３に記載の画像表示装置において、前記制御部は、所定時間継続して基づき前記画像表示装置の駆動状態を制御することを特徴とする画像表示装置。
【請求項１４】
請求項１３に記載の画像表示装置において、前記所定時間が、前記映像信号の垂直走査期間単位であることを特徴とする画像表示装置。
【請求項１５】
請求項３に記載の画像表示装置において、前記高圧電流が流れるラインと電気的に分離された要素は、前記高圧電流の時間的変化によって磁界を発生する第1要素と、該第1要素で発生された磁界を電気信号に変換し、前記情報として前記制御部へ出力する第２要素を含むことを特徴とする画像表示装置。
【請求項１６】
請求項1５に記載の画像表示装置において、前記第1要素は、前記高圧電流が流れるラインに取り付けられたフェライトコアを含み、前記第２要素は、前記フェライトコアに巻線されたコイルを含むことを特徴とする画像表示装置。
【請求項１７】
画像表示装置において、
電子を放出するための複数の電子放出素子と、
前記電子放出素子に走査電圧を印加するための走査ドライバと、
前記電子放出素子に、入力映像信号に応じた駆動電圧を印加するための信号ドライバと、
前記走査電圧及び前記駆動電圧によって電子放出素子から放出された電子を、害電子放出素子と対抗する面側に導くための高圧を生成する高電圧供給回路と、
前記高電圧供給回路からの高圧電流の時間的な変化に関する情報を検出する検出部と、
前記検出部によって検出された前記情報に基づき前記画像表示装置の駆動状態を制御する制御部と、を備え、
前記検出部は、前記高圧電流の時間的変化に応じて磁界を発生する第１要素と、該第１要素から発生された磁界を電気信号に変換し、前記情報として前記制御部へ出力する第２要素とを有することを特徴とする画像表示装置。
【請求項１８】
請求項1７に記載の画像表示装置において、前記第1要素は、前記高圧電流が流れるラインと電気的に絶縁されて該ラインに取り付けられたフェライトコアを含み、前記第２要素は、前記フェライトコアに巻線されたコイルを含むことを特徴とする画像表示装置。
【発明の詳細な説明】
【技術分野】
【０００１】
本発明は、電子を放出する複数の電子放出素子により画像を形成する画像表示装置に関する。
【背景技術】
【０００２】
電子を放出する複数の電子放出素子により画像を形成する、いわゆるFED (Field Emission Display :電界放出型画像表示装置)と呼ばれる表示装置は、複数の電子放出素子が設けられたカソード基板と、このカソード基板に対向して配置された蛍光体を含むアノード基板とを含む表示パネルを備えている。FEDの画像形成は、画像信号に応じてカソード基板から放出される電子を、アノード基板に印加される高電圧で加速させ、該電子を蛍光体に衝突させて該蛍光体を励起発光させることにより行われる。
【０００３】
上記構成のFEDにおいては、アノード基板に印加される高電圧は一般的には数ｋVで、カソード基板とアノード基板の間隔は一般的には数mmである。このため、上記表示パネル内またはその周辺部で予期せぬ放電が生じ、表示パネルやその駆動回路に損傷を与える場合がある。この放電の継続を防止し、パネルや駆動回路を保護するための技術は、例えば特許文献1に開示されている。
【０００４】
【特許文献１】特開2000-310970号公報
【発明の開示】
【発明が解決しようとする課題】
【０００５】
上記の特許文献1では、高電圧を供給するラインに抵抗器を挿入し、該抵抗器の両端の電位差から放電を検出している。このような高圧の検出構成では、上記検出用の抵抗器及び検出電圧を処理するための回路に高電圧が印加される。従って、別途高電圧保護が必要となり、構成が複雑になる。また、上記抵抗器による高電圧の降下および電力消費が発生し、電力損失が生じる。
本発明は、上記課題に鑑みて為されたものであり、その目的は、好適に上記放電に関する情報を検出して、良好に画像表示装置を保護するための技術を提供することにある。
【課題を解決するための手段】
【０００６】
上記目的を達成するために、本発明では、高圧電流に関する情報を検出する検出部が、上記高圧電流が流れるラインと電気的に非接続もしくは分離された要素を介して上記情報を検出するように構成したことを特徴とするものである。すなわち、本発明に係る検出部は、高圧電流が流れるラインからアイソレーションされていることを特徴とするものである。
【０００７】
上記検出部の要素は、具体的には、例えば上記ラインに取り付けられるフェライトコアと、該フェライトコアに巻線されたコイルとを含む。上記フェライトコアは、上記ラインと電気的に絶縁されて該ラインに取り付けられるとともに、該ラインを流れる高圧電流の時間的変化に応じて磁気を発生する。上記コイルは、該フェライトコアによって発生された磁気を電気信号に変換することにより上記情報を生成する。そして、このようにして得られた情報を用いて、放電を停止もしくは抑制するように画像表示装置の駆動状態を制御する。
【０００８】
上記本発明の構成によれば、高電圧電流を検出するための検出部が高圧電流を流れるラインから電気的に分離されているため、該検出部は高圧が直接的に印加されない。従って、高圧からの保護のための回路等を必要としない簡易でコンパクトな装置が実現可能となる。また、高圧電流を検出する際の電力損失を低減できる。また、検出結果に応じて適切な制御を行うことで、放電等の異常時におけるパネルや駆動回路のダメージを抑えることが可能になる。
【発明の効果】
【０００９】
本発明によれば、好適に上記放電に関する情報を検出して、良好に画像表示装置を保護するための技術を提供することにある
【発明を実施するための最良の形態】
【００１０】
以下に、本発明の実施の形態を説明する。
【実施例１】
【００１１】
本発明の第1実施形態について図面を参照しつつ説明する。まず、本発明が適用される画像表示装置の回路ブロックの一構成例について図1を用いて説明する。尚、本実施形態では、電子放出素子として、MIM(Metal - Insulator  Metal)型の電子源を有するパッシブマトリクス駆動方式のFEDを例にして説明する。しかしながら、本発明は、MIM以外の電子源、例えばSCE(Surface - Conduction - Electron emitter)型やカーボンナノチューブ型、スピント型などにも同様に適用できる。
【００１２】
映像信号は映像信号入力端子30に入力され、信号処理回路100に供給される。信号処理回路100においては、γ補正や色補正、コントラスト補正、走査線の配線抵抗や走査線制御回路の配線抵抗などによって発生する電圧降下補償などの各種所定の信号処理を映像信号に施す。
【００１３】
上記入力映像信号に対応する水平及び垂直同期信号は、水平及び垂直同期信号入力端子10に入力され、タイミングコントローラ20に供給される。タイミングコントローラ20では、水平及び垂直同期信号に同期したタイミングパルスを生成して走査線制御回路51及び52に供給する。
【００１４】
表示パネル60は、カソード基板とアノード基板とを含む。カソード基板には、画面水平方向（紙面の左右方向）に延びて形成された複数の走査線53〜55が、画面垂直方向（紙面の上下方向）に並んで配置されている。更に、画面垂直方向（紙面の上下方向）に延びて形成された複数の信号線41〜44が、画面水平方向（画面左右方向）に並んで配置されている。これら走査線53〜55と信号線41〜44は互いに直交しており、これらの各交点部には、各走査線及び各信号線と接続される電子放出素子111〜119が配置されている。これによって、複数の電子放出素子111〜119は、マトリクス状に配置された形態となる。
【００１５】
走査線53〜55の左右両端には、走査ドライバである走査線制御回路51及び52が接続されている。この走査線制御回路51及び52は、それぞれタイミングコントローラ20からのタイミングパルスに同期して、走査線53〜55を1本もしくは2本ずつ選択するための走査電圧(Vscan)を走査線53〜55に対し供給する。つまり、走査線制御回路51及び52は、水平同期期間の走査電圧を走査線53〜55に対し順次印加することにより、水平周期で1または2行の電子源を選択して垂直走査を行うものである。
【００１６】
走査線制御回路51及び52は、それぞれ選択電位（例えば５Ｖまたは−５Ｖ）を与える電圧供給源Ａ81と、非選択電位（例えば０Ｖ）を与える電圧供給源Ｂ82と、スイッチ回路91〜93とを含む。スイッチ回路91〜93はそれぞれ各走査線53〜55に対応して接続されている。そしてスイッチ回路91〜93は、対応する走査線を選択する場合は、電圧供給源Ａ81からの選択電位を対応する走査線に供給し、それ以外の場合は電圧供給源Ｂ82からの非選択電位を走査線に供給するように、タイミングコントローラ20からのタイミングパルスに応答して切替え動作を行う。つまり、走査電圧Vscanは、スイッチ回路91〜93で選択電位と非選択電位とを切替えることによって形成される。尚、図１では簡単のために走査線制御回路51の内部構成のみを図示しているが、走査線制御回路52も同様の構成を備えている。また、走査線制御回路51及び52は１走査線毎に交互に切替えて駆動させてもよく、また１フレーム毎に交互に切替えて駆動させてもよい。更に、１走査線を選択する際に、２つの走査線制御回路51及び52を同時に駆動させて、１走査線に対し、同時に走査電圧を印加するようにしてもよい。更にまた、走査線制御回路51及び52のいずれか一方のみを用いてもよい。
【００１７】
信号線41〜44の上端には、信号ドライバである信号線制御回路40が接続されている。信号線制御回路40は、信号処理回路100から供給された映像信号に基づいて、各信号線（電子放出素子）に対応する駆動信号(Vdata)を生成して各信号線に供給する。
【００１８】
走査電圧によって選択された走査線に接続される各電子放出素子に対し、信号線制御回路40からの駆動電圧が印加されると、各電子放出素子には走査電圧と駆動電圧との電位差が与えられる。この電位差が所定の閾値を超えると、電子源は電子を放出する。この電子源からの電子の放出量は、電位差が閾値以上の場合は、この電位差に略比例する。尚、駆動電圧が正の場合、走査電圧は負となり、駆動電圧が負の場合、走査電圧は正となる。
【００１９】
また前記カソード基板と対向して、アノード基板が配置されている。このアノード基板は、カソード基板に対しておおよそ数mmの距離を以って保持されており、両基板間の空間は真空雰囲気とされる。アノード基板のカソード基板と対向する面には、各電子放出素子の対向する位置に後述する蛍光体が配置され、かつこの蛍光体上には、高圧が印加されるメタルバックである導電膜が形成されている。電子放出素子から放出された電子は、高電圧供給源120から導電膜に印加された高圧によって加速され、蛍光体に衝突する。これにより蛍光体が励起発光し、その光は、後述するアノード基板を構成する透明ガラスを通して外部に放出される。これによって、ＦＥＤの表示面に画像が形成される。
【００２０】
上記のように構成されたＦＥＤは、カソード基板とアノード基板間の距離が数mmで、かつその基板間には数kV〜10kVの高圧（アノード電圧）が印加されているため、表示パネル60の内部またその周辺部において、予期せぬ放電が生じる場合がある。この放電は、表示パネル60、走査線駆動回路52及び／または信号線制御回路40に損傷を与える。従って、この放電の継続を防止もしくは抑制して上記損傷を防止または軽減する必要がある。本実施形態は、この放電に関する情報を好適に検出して放電（の継続）を防止もしくは抑制するための回路構成を特徴とするものであり、以下にその詳細について説明する。
【００２１】
本実施形態においては、高電圧電流検出回路130によって、上記放電に関する情報として高圧電流の時間的変化に関する情報を検出する。高圧電流検出回路130は、上記高圧電流の時間的変化に関する情報を、高圧電流が流れるラインである電圧印加電線140を介して検出し、その検出結果を制御部180に出力する。制御部180は、例えばマイコンにより構成されており、検出された情報から予期せぬ放電や短絡等によって電圧印加電線140に過電流が流れたか否かを判定する。そして過電流が流れた場合に、高電圧供給源120を制御して電圧印加電線140に流れる電流値を低下させる。
【００２２】
上記高圧電流検出回路130の一具体例について、図2を参照しつつ説明する。図2は高圧電流検出回路130の一構成例を示す図である。本実施形態の高圧電流検出回路130は、高圧からアイソレーションされている要素を含んでいる。すなわち、高圧電流検出回路130は、高電圧印加電線140と電気的に非接続、すなわち高電圧印加電線140と電気的に分離されたフェライトコア150（第1要素）と、該フェライトコア150に巻かれた第2の要素であるコイル160（第2要素）と、更に差動増幅器170とを含む。フェライトコア150は、例えばリング状もしくは円筒状に構成されている。そして、上記高電圧印加電線140がフェライトコア150の中心を通るように（すなわち高電圧印加電線140を覆うように）、高電圧印加電線140に取り付けられる。このとき、フェライトコア170は高電圧印加電線140に対し電気的に絶縁されているため、フェライトコア170には高圧電流が直接的に供給されない。コイル160は、フェライトコア150の円周方向を軸にしてフェライトコア150に巻かれている。差動増幅器170は、コイルに発生された起電力を増幅し、これを上記高圧電流の時間的変化に関する情報として制御部180に出力する。
【００２３】
次に、上記高圧電流検出回路130の動作について説明する。高電圧印加電線140に流れる高圧電流値が変化すると、フェライトコア150に、その電流の変化に応じた磁界が発生する。フェライトコア150は、高圧電流の時間的変化が大きいほどより大きな磁界を発生する。放電などの異常時には、急激に高圧電流が増加するので、大きな磁界は、おおよそ放電などの異常時を示すことになる。フェライトコア150に巻線されたコイル160は、フェライトコア150で発生された磁界に応じた起電力を発生する。つまり、コイル160は、フェライトコア150で発生された磁界を電気信号に変換する機能を有する。このコイルに生じる起電力は、フェライトコア150で発生した磁界の大きさ、つまり高圧電流値の変化分に略比例する。従って、コイル160の起電力の大きさから、放電等の異常の発生を認識することができる。コイル160で得られた電気信号は、作動増幅器170に入力される。放電、短絡または断線等により、高圧電流値が急峻に変化するときに制御部180が作動するように、差動増幅器170の増幅度を設定する。例えば、コイル160からの電気信号、すなわち起電力のレベルがある閾値を超えた場合に信号190を出力するように設定する。制御部180は、差動増幅器からの信号によって、高電圧供給源120を制御する制御信号200を生成して高電圧供給源120に供給する。上記のような構成にすることで、高電圧供給源120は、制御部180からの制御信号200を受けて放電や短絡や断線等の異常時に高電圧出力制御を行う。ここで高電圧供給源120は、上記異常時においては、高圧の生成を停止する、もしくは高圧のレベルを通常駆動時よりも低くなるように制御される。例えば、通常駆動時の高圧が5kVの場合、上記異常時では例えば4kV程度に高圧を低下させる。これによって、放電時等の異常時に、放電要因の一つである電場勾配が小さくなり、放電の継続が停止される。
【００２４】
このように、本実施例では、高電圧印加電線140と電気的に絶縁されたフェライトコア150及びコイル160を用いて高圧電流の時間的変化を検出しているので、高電圧からアイソレートされた検出回路を構成することが可能となる。従って、検出回路を高圧から保護するための回路が不要となるとともに、検出回路による電力消費を低減することができる。
【００２５】
次に、図３を用いて、異常時における制御部180の制御について説明する。
【００２６】
図３は、異常時における本実施例の動作の一例を示す図であり、高電圧電流変化量波形(差動増幅器170からの出力信号190の波形)、制御部180の制御信号200の波形、及び高電圧波形（高電圧印加電線140を流れる高圧電流の波形）の一例を示している。図3上の時間Ｔから放電が開始されたとする。時間Ｔから電流の変化量が大きくなり、それに応答した差動増幅器170から信号140が出力される。制御部180は、信号140に応答して制御信号200を発生する。高電圧供給回路120は、制御信号200を受けて出力電圧を下げるように制御される。例えば通常駆動時の高圧レベルが5kVの場合は、例えば4kV程度に下げられる。このため、放電が抑えられ高圧電流値は定常に戻る。電流値が定常の一定値になると高圧電流変化量が小さくなるため、差動増幅器170から信号140が出力されなくなる。このため、制御部180からの制御信号200の出力も停止され、高電圧供給回路120は通常動作、すなわち5kVの高圧を出力する動作に戻る。図３に示されるように、例えば、流変化量が高くかつ急峻に立ちあがるときに制御信号200を出力することによって、放電が抑えられた後に定常時への復帰が可能になる。
【００２７】
図４は、本実施例に係る異常時における別の制御について説明する図で、図3と同様の波形を示す。図3との相違点は、制御部180が出力する制御信号200の出力期間にある。上述の制御信号200を受けて高電圧供給回路120からの高圧レベルは下がり、制御信号200の出力が止まると高圧レベルは通常時に復帰する。ここで制御信号200の出力期間T0を、制御部180において調整するようにする。例えば、放電などの異常が発生した時点を含む１フィールドもしくは１フレーム期間は上記制御を継続するように制御信号200の出力期間T0を設定する。この出力期間は、１フィールドもしくは１フレームではなく、映像信号の垂直期間VTのｎ倍（ｎは１以上の整数）、つまりn×VTに設定してもよい。また、高電圧電流変化の検出結果から適正な制御信号の出力期間を演算し、これに基づき制御信号200の出力期間を設定してもよい。
【００２８】
本実施例では、フェライトコア150を用いて高圧電流の作る磁場を増幅しているが、もちろんフェライトコア150を用いない構成も有効である。すなわち、高圧電流と電気的に分離され、かつ高圧電流の状態を検出できるものであれば、フェライトコ等の磁界を発生しない要素であってもよい。また、制御部180は、例えばトランジスタを用いたものやA/D変換器を用いてデジタル処理を行うものであってもよい。更にまた、差動増幅器170を用いずに制御信号200を発生する構成としてもよい。例えば、コイル160からの電気信号を直接もしくは平滑化してデジタル変換した信号を制御部180に供給する。そして制御部180は、その信号と所定の閾値とを比較し、その信号閾値以上のときに制御信号200を出力するようにしてもよい。
【００２９】
また、本実施例では、異常時における制御の情報として高圧電流の時間的変化の情報のみを用いたが、高圧電流の絶対値の情報をこれと併用してもよい。すなわち、高圧電流の絶対値を検出するための回路を新たに設け、高圧電流の時間的変化（コイル160の起電力）が所定値を越え、かつ高圧電流の絶対値が所定値を越えた場合に、上記のような制御を行うようにしてもよい。
【００３０】
以上の構成により、簡易な構成で放電等による高電圧電流値の急峻な変化を検出することが可能になる。そして、検出結果に応じて高電圧を下げるもしくは出力停止をすることで、表示パネル60や高電圧供給源120等の保護を良好に行うことができる。
【実施例２】
【００３１】
次に、本発明に係る第２実施例について図５を参照しつつ説明する。図５は第２実施例を示すブロック図で、図1と同符号のものは同一の機能を有する。第２実施例が図1に示した実施例と異なる点は、制御部180からの制御信号が走査線制御回路51内の電圧供給源A81または電圧供給源B82の一方もしくは両方に入力され、制御信号で走査電圧を制御する点である。本実施例における高圧電流検出回路130の構成及び動作は、第１実施例のものと同様である。
【００３２】
制御部180は、第1実施例と同様に高圧電流の変化を検出し、その検出結果に応じて制御信号を電圧供給源A81または電圧供給源B82に出力する。電圧供給源A81または電圧供給源B82は、制御信号発生器180からの制御信号を受けて、放電や短絡や断線等の異常時に走査電圧の出力制御を行う。例えば、異常時においては、電圧供給源A81または電圧供給源B82は、走査電圧の出力を停止するように制御される。もしくは、電圧供給源A81または電圧供給源B82からの走査電圧を、通常駆動時よりも低下させるように制御される。例えば、通常駆動時の走査電圧が5Vである場合には、異常時では例えば4V程度に低下させる。
【００３３】
上述したように、電子放出素子は、走査電圧と駆動電圧との電位差に応じて電子を放出する。従って、走査電圧を異常時に低下させれば、上記電位差が減少し電子放出素子からの放出電子量も減少する。その結果、高圧電流が抑制される。よって、本実施例のような制御を行った場合でも、放電の継続を防止もしくは抑制して表示パネル60等を保護することができる。
【００３４】
また、図５の一点差線で示されるように、制御部180からの制御信号を信号制御回路40に供給し、この制御信号で信号制御回路40からの駆動電圧を制御してもよい。上記と同様に、制御部180は、第1実施例と同様に高圧電流の変化を検出し、その検出結果に応じて制御信号を信号線制御回路40に出力する。信号線制御回路40は、制御信号発生器180からの制御信号を受けて、放電や短絡や断線等の異常時に駆動電圧の出力制御を行う。例えば、異常時においては、信号線制御回路40は、駆動電圧の出力を停止するように制御される。もしくは、信号線制御回路40からの駆動電圧を、通常駆動時よりも低下させるように制御される。例えば、異常時の駆動電圧を通常駆動時の駆動電圧の、例えば50〜80％程度に低下させる。
【００３５】
上述したように、電子放出素子は、走査電圧と駆動電圧との電位差に応じて電子を放出する。従って、駆動電圧を異常時に低下させれば、上記電位差が減少し、電子放出素子からの放出電子量が減少する。その結果、高圧電流が抑制される。よって、本実施例のような制御を行った場合でも、放電の継続を防止もしくは抑制して表示パネル60を保護することができる。
【００３６】
このように、本実施例でも、第１実施例と同様に、簡易な構成で放電等による高電圧電流値の急峻な変化を検出することが可能になる。そして、検出結果に応じて走査電圧を下げるもしくは出力停止をすることで、パネル60等の保護を良好に行うことができる。
【実施例３】
【００３７】
次に本発明に係る第３実施例について図６を参照しつつ説明する。図６は第２実施例を示すブロック図で、図1と同符号のものは同一の機能を有する。第３実施例が図1に示した実施例と異なる点は、制御部180からの制御信号が信号処理回路100に入力され、映像信号の振幅が制御信号によって制御される点である。本実施例における高圧電流検出回路130の構成及び動作は、第１実施例のものと同様である。
【００３８】
信号処理回路100は、入力された制御信号に応じて、カソード基板に設けられた各電子放出素子から放出される電子量を減らすように、映像信号を制御する。例えば信号処理回路100に最大振幅(8bit表現で255階調)の映像信号が入力された場合、制御信号が信号処理回路100に入力されたときには、映像信号の最大階調を255から128に低下させる制御を行う。すなわち、映像信号の階調を半分に圧縮する制御を行う。これにより、電子放出素子から放出される電子量が低減し、異常時における駆動回路およびパネルの負荷が軽減される。その結果、高圧電流が抑制され、放電の継続を防止もしくは抑制して表示パネル60を保護することができる。
【００３９】
ここでは映像信号を通常時の半分に圧縮する例を示したが、もちろん他の圧縮率でもよい。また、通常時の映像信号と制御信号を用いた任意の演算処理によって制御してもよい。さらにまた、制御信号入力時、つまり異常時には映像信号を0にして全画面黒表示にしてもよい。
このように、本実施例でも、第１実施例と同様に、簡易な構成で放電等による高電圧電流値の急峻な変化を検出することが可能になる。そして、検出結果に応じて映像信号の振幅を下げるもしくは出力停止をすることで、パネル60等の保護を良好に行うことができる。
【００４０】
以上のように、上記本発明の実施形態によれば、高電圧電流による磁場変動から放電等の異常を検出することにより、高電圧保護を必要としない簡易でコンパクトな高圧電流検出回路が実現できる。よって、本実施形態の検出回路は、従来に比べ製造コストが低減される。また、検出結果に応じて適切な制御を行うことで、放電等の異常時におけるパネルや駆動回路のダメージを抑えることが可能になる。
上記各実施例は、それぞれ単独で実施してもよく、またそれらを任意に組み合わせて実施してもよい。例えば、高圧制御と走査電圧制御または駆動電圧制御とを組み合わせてもよい。
【図面の簡単な説明】
【００４１】
【図１】本発明に係る画像表示装置の第1実施例を示すブロック図。
【図２】図1に示された高電圧電流検出回路の1具体例を示すブロック図。
【図３】本発明の制御方法を説明する図
【図４】本発明の制御方法を説明する図
【図５】本発明に係る画像表示装置の第２実施例を示すブロック図。
【図６】本発明に係る画像表示装置の第３実施例を示すブロック図。
【符号の説明】
【００４２】
10…水平垂直同期信号入力端子、20…タイミングコントローラ、30…映像像信号入力端子、40…信号線制御回路、41〜44…信号線、51〜52…走査線制御回路、53〜55…走査線、60…表示パネル、81…電圧供給源A、82…電圧供給源B、91〜93…スイッチ回路、100…信号処理回路、111〜119…電子放出素子、120…高圧供給源、130…高圧電流検出回路、140…高電圧印加電線、150…フェライトコア、160…コイル、170…差動増幅器、180…制御部。
【図１】
2007127679.tif 000003
【図２】
2007127679.tif 000004
【図３】
2007127679.tif 000005
【図４】
2007127679.tif 000006
【図５】
2007127679.tif 000007
【図６】
2007127679.tif 000008